(57)【特許請求の範囲】
【請求項１】
指針と、
前記指針が指示する表示部を備えた表示板と、
前記表示板を背面側から照明する光源と、
前記表示部を囲むように前記表示板上に配置され前記光源からの光が入光する加飾部材と、
を備えた表示装置において、
前記表示板は、光透過部と不透過部とを有し、
前記加飾部材は、
中空部と、
前記表示板に向かって延び前記表示板と対向する底面を備えた第１の脚部と、
前記表示板に向かって延び前記表示板と対向する底面を備えた第２の脚部と、
前記第１の脚部と前記第２の脚部とを連結する天面部と、を有し、
前記第１、第２の脚部の少なくともどちらか一方の底面の前記中空部側端部とその近傍が前記光透過部に対向し、
前記光源の光の一部が前記光透過部を透過して前記底面の前記中空部側端部とその近傍から前記加飾部材に入光し、
前記底面の前記中空部側端部とその近傍が光輝するとともに、
前記底面から前記天面部に向かって延びる前記脚部の内壁面の上端部が光輝する
ことを特徴とする表示装置。
【請求項２】
前記第１の脚部と前記第２の脚部は、前記第１の脚部が前記加飾部材の前記指針側で、前記第２の脚部が前記加飾部材の外側であり、前記第１の脚部の底面の前記中空部側端部とその近傍が前記光透過部に対向することを特徴とする請求項１に記載の表示装置。
【請求項３】
前記中空部の断面形状は、前記第１の脚部、前記第２の脚部及び前記天面部の内壁面によって形成される多角形状であることを特徴とする請求項１に記載の表示装置。
【請求項４】
前記中空部の断面形状は、前記第１の脚部と前記第２の脚部の内壁面によって形成される三角形状であることを特徴とする請求項１に記載の表示装置。
【請求項５】
前記加飾部材は、乳白色であることを特徴とする請求項１に記載の表示装置。
【請求項６】
前記光透過部に着色部を設けたことを特徴とする請求項１に記載の表示装置。
【発明の詳細な説明】
【技術分野】
【０００１】
本発明は、車両などに搭載される表示装置において、特に、表示板に設けられた表示部の周囲あるいは表示板の周縁に装飾用の加飾部材を配置した表示装置に関するものである。
【背景技術】
【０００２】
従来の表示装置として、例えば特許文献１に開示されたものがある。斯かる表示装置は、加飾部材を表示部の周縁に配置し、指針と表示板との隙間から漏れた光が加飾部材の内側表面に反射してリング状に光輝する。
【先行技術文献】
【特許文献】
【０００３】
【特許文献１】特開２００３−２２２５３９号公報
【発明の概要】
【発明が解決しようとする課題】
【０００４】
しかしながら、このような表示装置は、加飾部材がその内側表面に反射してリング状に光輝するものであるため、単純な見栄えのする加飾リングであって立体感に欠けており、表示装置としての商品性やデザイン性に欠けてしまうという問題点があった。
そこで本発明は、前記問題点を解消し、加飾部材の立体的な表現を可能とし、表示装置としての商品性とデザイン性を向上することが可能な表示装置を提供することを目的とするものである。
【課題を解決するための手段】
【０００５】
そこで本発明は、指針と、前記指針が指示する表示部を備えた表示板と、前記表示板を背面側から照明する光源と、前記表示部を囲むように前記表示板上に配置され前記光源からの光が入光する加飾部材と、を備えた表示装置において、前記表示板は、光透過部と不透過部とを有し、前記加飾部材は、中空部と、前記表示板に向かって延び前記表示板と対向する底面を備えた第１の脚部と、前記表示板に向かって延び前記表示板と対向する底面を備えた第２の脚部と、前記第１の脚部と前記第２の脚部とを連結する天面部と、を有し、前記第１、第２の脚部の少なくともどちらか一方の底面の前記中空部側端部とその近傍が前記光透過部に対向し、前記光源の光の一部が前記光透過部を透過して前記底面の前記中空部側端部とその近傍から前記加飾部材に入光し、前記底面の前記中空部側端部とその近傍が光輝するとともに、前記底面から前記天面部に向かって延びる前記脚部の内壁面の上端部が光輝するものである。
【０００６】
また、本発明は、前記第１の脚部と前記第２の脚部は、前記第１の脚部が前記加飾部材の前記指針側で、前記第２の脚部が前記加飾部材の外側であり、前記第１の脚部の底面の前記中空部側端部とその近傍が前記光透過部に対向するものである。
【０００７】
また、本発明は、前記中空部の断面形状は、前記第１の脚部、前記第２の脚部及び前記天面部の内壁面によって形成される多角形状である。
【０００８】
また、本発明は、前記中空部の断面形状は、前記第１の脚部と前記第２の脚部の内壁面によって形成される三角形状である。
【０００９】
また、本発明は、前記加飾部材は、乳白色である。
【００１０】
また、本発明は、前記光透過部に着色部を設けたものである。
【発明の効果】
【００１１】
加飾部材の立体的な表現を可能とし、表示装置としても商品性とデザイン性を向上することが可能な表示装置を提供する。
【図面の簡単な説明】
【００１２】
【図１】本発明の実施形態を示す正面図。
【図２】同上の実施形態を示すＡ−Ａ断面図。
【図３】同上の実施形態を示す拡大斜視図。
【図４】同上の実施形態を示す拡大断面図。
【図５】同上の変形例を示す拡大断面図。
【図６】同上の変形例を示す拡大断面図。
【発明を実施するための形態】
【００１３】
表示装置Ｍは、表示器としての例えば速度計１とエンジン回転計２を備えている。表示器は、硬質な回路基板３と、この回路基板３の裏面側に回路基板３と導通状態で装着され、回路基板３を貫通して前方に延びる回動軸４を有する駆動本体５と、回動軸４に固着され指示部６を有する指針７と、この指針７の背後に配置され指示部６の指示対象となる車両の速度やエンジン回転数を表す目盛，数字などの表示部８が設けられた表示板９と、この表示板９上に配置された装飾用の加飾部材１０を備えている。
【００１４】
また、表示装置Ｍは、表示板９と回路基板３との間に配置され表示板９が保持されるケース１１と、表示板９周縁の表面側に配置され表示板９の可視領域を定める開口部１２を有する例えば黒色の合成樹脂からなる見返し部材１３と、指針７や表示板９の前方側に配置された無色透明な合成樹脂からなる前面パネル１４と、回路基板３の裏面側を被う合成樹脂製のカバー１５と、回路基板３上に配置され指針７や表示板９を背後から照明する光源としての発光ダイオード１６Ａ、１６を備えており、夜間など周囲が暗い時に各発光ダイオード１６Ａ、１６を点灯させることで指針７の指示部６および表示板９の表示部８がそれぞれ照明されるようになっている。
【００１５】
ケース１１は、遮光性のある例えば白色の合成樹脂からなり、回転軸４と発光ダイオード１６Ａを囲むように表示板９と回路基板３との間に配置された筒部１１ａと、表示板９用の発光ダイオード１６の光が表示板９方向に反射するように傾斜して形成された傾斜壁１１ｂと、表示板９が支持される前面部１１ｃや外周壁１１ｄなどを有している。
【００１６】
表示板９は、図３に示すように、光透過性樹脂に指針７が指示する目盛，数字などの表示部８が印刷されたものである。表示板９上には、表示部８を囲むように配置され発光ダイオード１６からの光が入光する加飾部材１０が配置される。加飾部材１０が配置される箇所には、光透過部（例えば青色）９ａと不透過部（例えば黒色）９ｂが印刷されている。表示板９の加飾部材１０が配置されない箇所であって、表示部８ではない背景部８１は、光不透過の印刷層によって形成されている。
【００１７】
加飾部材１０は、例えば半透過性樹脂を肉抜きしたリング形状や馬蹄形状であり、乳白色に形成されている。加飾部材１０は、表示板９に設けられた目盛、数字などの表示部８周囲に配置され発光ダイオード１６からの光が入光する、例えば外側が台形形状で内側が三角形状である中空部１０ｄと、表示板９中心に向かって傾斜する第１の脚部１０ａと、見返し部材１３に向かって傾斜する第２の脚部１０ｂと、第１の脚部１０ａと第２の脚部１０ｂとを連結する天面部１０ｃとを有している。第１の脚部１０ａは、表示板９に形成された光透過部９ａと対応した位置に配置されている。第２の脚部１０ｂは、加飾部材１０の外側であり、表示板９に形成された不透過部９ｂと対応した位置に配置されている。本実施形態では、図３、４に示すように表示板９の表面側に光透過部９ａと不透過部９ｂとが印刷されているが、光を透過する若しくは透過しない効果があるのであれば、その配置は裏面側でもよいし、印刷層の中間に配置されていてもよい。
【００１８】
なお、本実施形態における天面部１０ｃは、図４に示すように加飾部材１０の外側が台形形状で内側（中空部１０ｄ）が三角形状であるが、加飾部材１０の形状はこれに限定されず、例えば内側形状が多角形であってもよい。中空部１０ｄの断面形状は、第１の脚部１０ａ、第２の脚部１０ｂ及び天面部１０ｃの内壁面Ｈ３によって形成される多角形状や、第１の脚部１０ａと第２の脚部１０ｂの内壁面Ｈ１，Ｈ２によって形成される三角形状とすることが可能である。
【００１９】
第１の脚部１０ａは、表示板９に形成された光透過部９ａを透過した発光ダイオード１６の光が、表示板９と当接する底面Ｓの中空部１０ｄ側端部とその近傍に対向し、底面Ｓの中空部１０ｄ側端部とその近傍から入光し、底面Ｓから天面部１０ｃに向かって延びる第１の脚部１０ａの外壁面Ｏと内壁面Ｈ１とで反射しながら第１の脚部１０ａ内を進行することで照明される。第１の脚部１０ａの光透過部９ａと当接する底面Ｓの中空部１０ｄ側端部には湾曲面、凹凸、シボなどの第１の反射部Ｑが形成されている。底面Ｓの中空部１０ｄ側端部とその近傍が反射することで、加飾部材１０が透過照明される光よりも輝度が高くなるので、第１の発光線１０１として視認される。
【００２０】
第１の脚部１０ａの内壁面Ｈ１の上端と第２の脚部１０ｂの内壁面Ｈ２の上端とが連結する天面部１０ｃの内側（中空部１０ｄ）箇所には、湾曲面、凹凸、シボなどの第２の反射部Ｐが形成されている。第１の脚部１０ａの内壁面Ｈ１と第２の脚部１０ｂの内壁面Ｈ２とが連結する第２の反射部Ｐで光が反射することで、加飾部材１０が透過照明される光よりも輝度が高くなるので、第２の発光線１０２として視認される。
【００２１】
なお、第１の脚部１０ａは、表示領域を透過した光が映り込むような傾斜を有し、例えば、表示板９の背後に配置された導光板１７に形成された凸目盛１７ａを、表示板９を貫通させて表示板９上に露出させるような場合は、凸目盛１７ａを照明する光が第１の脚部１０ａに写り込み、表示領域を大きく見せることが可能となる。
【００２２】
また、本実施形態では、発光ダイオード１６の光のうち、その一部が光透過部９ａを透過する例を説明したが、加飾部材１０は、光透過部９ａ以外の表示板９を透過した光によって照明されることも可能である。加飾部材１０に入光する光は、底面Ｓから入光する光に限定されず、第１の脚部１０ａ及び第２の脚部１０ｂの内壁面Ｈ１、Ｈ２から入光する場合もある。
【００２３】
また、光透過部９ａは、底面Ｓの内壁面Ｈ１側に配置される着色部９０と、底面Ｓの外壁面Ｏ側に配置される不透過のグラデーション部９１とを有し、少なくとも着色部９０を透過した光が加飾部材１０に入光するようになっている。なお、グラデーション部９１は、不透過の印刷層によって、表示板９の外周側から内側へ徐々に色味が明るくなるようにドットの大きさや間隔を変えたものであるが、内側から外周側へ徐々に色味が明るくなるようにしてもよい。
【００２４】
また、加飾部材１０は、半透過性樹脂から形成されるものであり、図示しないが、着色部９０の色味が第１の脚部１０ａを通過して視認者に視認されることも可能である。
【００２５】
加飾部材１０は、フック係合などによって表示板９や見返し部材１３に固定されていてもよい。また、接着剤などにより表示板９上に配置されていてもよい。
【００２６】
なお、第１の脚部１０ａと第２の脚部１０ｂとは、その肉厚が異なることによって、加飾部材１０内を進行する光の輝度が異なるように成形してもよい。
【００２７】
このように、本発明は、指針６と、指針６が指示する表示部８を備えた表示板９と、表示板９を背面側から照明する光源１６と、表示部８を囲むように８に配置され光源１６からの光が入光する加飾部材１０と、を備えた表示装置Ｍにおいて、表示板９は、光透過部９ａと不透過部９ｂとを有し、加飾部材１０は、中空部１０ｄと、表示板９に向かって延び表示板９と対向する底面Ｓを備えた第１の脚部１０ａと、表示板９に向かって延び表示板９と対向する底面Ｓを備えた第２の脚部１０ｂと、第１の脚部１０ａと第２の脚部１０ｂとを連結する天面部１０ｃと、を有し、第１、第２の脚部１０ａ、１０ｂの少なくともどちらか一方の底面Ｓの中空部１０ｄ側端部とその近傍が光透過部９ａに対向し、光源１６の光の一部が光透過部９ａを透過して底面Ｓの中空部１０ｄ側端部とその近傍から加飾部材１０に入光し、底面Ｓの中空部１０ｄ側端部とその近傍が光輝するとともに、底面Ｓから天面部１０ｃに向かって延びる脚部の内壁面Ｈ１、Ｈ２の上端部が光輝することによって、加飾部材１０の立体的な表現を可能とし、表示装置Ｍとしても商品性とデザイン性を向上することが可能な表示装置Ｍを提供することができる。
【００２８】
また、本発明は、第１の脚部１０ａと第２の脚部１０ｂは、第１の脚部１０ａが加飾部材１０の指針６側で、第２の脚部１０ｂが加飾部材１０の外側であり、第１の脚部１０ａの底面Ｓの中空部１０ｄ側端部とその近傍が光透過部９ａに対向することによって、加飾部材１０の立体的な表現を可能とし、表示装置Ｍとしても商品性とデザイン性を向上することが可能な表示装置Ｍを提供することができる。
【００２９】
また、本発明は、中空部１０ｄの断面形状は、第１の脚部１０ａ、第２の脚部１０ｂ及び天面部１０ｃの内壁面Ｈ１〜Ｈ３によって形成される多角形状であることによって、加飾部材１０の立体的な表現を可能とし、表示装置Ｍとしても商品性とデザイン性を向上することが可能な表示装置Ｍを提供することができる。
【００３０】
また、本発明は、中空部１０ｄの断面形状は、第１の脚部１０ａと第２の脚部１０ｂの内壁面Ｈ１、Ｈ２によって形成される三角形状であることによって、加飾部材１０の立体的な表現を可能とし、表示装置Ｍとしても商品性とデザイン性を向上することが可能な表示装置Ｍを提供することができる。
【００３１】
また、本発明は、加飾部材１０は、乳白色であることによって、加飾部材１０の立体的な表現を可能とし、表示装置Ｍとしても商品性とデザイン性を向上することが可能な表示装置Ｍを提供することができる。
【００３２】
また、本発明は、光透過部に着色部９０を設けたことによって、加飾部材１０の立体的な表現を可能とし、表示装置Ｍとしても商品性とデザイン性を向上することが可能な表示装置Ｍを提供することができる。
【符号の説明】
【００３３】
８      表示部
９      表示板
９ａ    光透過部
９ｂ    不透過部
１０    加飾部材
１０ａ  第１の脚部
１０ｂ  第２の脚部
１０ｃ  天面部
１０ｄ  中空部
１１    ケース
１３    見返し部材
１６    発光ダイオード
９０    着色部
９１    グラデーション部
１０１  第１の発光線
１０２  第２の発光線
Ｈ１、Ｈ２      内壁面
Ｍ      表示装置
Ｏ      外壁面
Ｐ      第２の反射部
Ｑ１、Ｑ２      第１の反射部
Ｓ      底面
【図１】
0006361379.tif 000002
【図２】
0006361379.tif 000003
【図３】
0006361379.tif 000004
【図４】
0006361379.tif 000005
【図５】
0006361379.tif 000006
【図６】
0006361379.tif 000007